(57)【特許請求の範囲】
【請求項１】
利用者により提示された二次元コード券から二次元コードを読み取る第１の読取手段と、
前記二次元コードに基づいて第１の識別情報を含む第１の切符情報を取得する解析手段と、
利用者により提示されたＩＣカードから第２の識別情報を含む第２の切符情報を読み取る第２の読取手段と、
前記第１の識別情報と前記第２の識別情報とが一致するか否か判定する判定手段と、
前記判定手段により一致すると判定した場合、前記第１の切符情報と前記第２の切符情報とに基づいて通行判定を行う通行判定手段と、
前記通行判定手段による判定の結果に基づいて、前記利用者の通行を制御する通行制御手段と、
を具備する改札機。
【請求項２】
前記第２の切符情報は、金額情報を含み、
前記通行判定手段は、利用者の通行を許可する精算額を前記ＩＣカードの金額情報により精算可能か否かにより通行の可否を判定し、
前記通行制御手段は、前記精算額が精算できた場合に前記利用者の通行を許可する、
請求項１に記載の改札機。
【請求項３】
前記第１の切符情報は、特急券情報を含み、
前記第２の切符情報は、乗車券情報を含み、
前記通行判定手段は、前記第１の切符情報に含まれる特急券情報と前記第２の切符情報に含まれる乗車券情報とに基づいて通行の可否を判定する、
請求項１又は２に記載の改札機。
【請求項４】
二次元コード券を発行する発行装置と、前記二次元コード券を処理する改札機とを備える駅務システムであって、
前記発行装置は、
利用者による操作を受け取る操作手段と、
利用者の所持するＩＣカードに記憶されている識別情報を受け取る受取手段と、
前記操作手段による操作と前記識別情報とに基づいて切符情報を生成する生成手段と、
前記切符情報をエンコードし、二次元コードを生成する二次元コード生成手段と、
前記二次元コードを券媒体に印刷し二次元コード券を発行する発行手段と、
を具備し、
前記改札機は、
利用者により提示された前記二次元コード券から二次元コードを読み取る第１の読取手段と、
前記二次元コードに基づいて第１の識別情報を含む第１の切符情報を取得する解析手段と、
利用者により提示された前記ＩＣカードから第２の識別情報を含む第２の切符情報を読み取る第２の読取手段と、
前記第１の識別情報と前記第２の識別情報とが一致するか否か判定する判定手段と、
前記判定手段により一致すると判定した場合、前記第１の切符情報と前記第２の切符情報とに基づいて通行判定を行う通行判定手段と、
前記通行判定手段による判定の結果に基づいて、前記利用者の通行を制御する通行制御手段と、
を具備する駅務システム。
【請求項５】
前記第２の切符情報は、金額情報を含み、
前記通行判定手段は、利用者の通行を許可する精算額を前記ＩＣカードの金額情報により精算可能か否かにより通行の可否を判定し、
前記通行制御手段は、前記精算額が精算できた場合に前記利用者の通行を許可する、
請求項４に記載の駅務システム。
【請求項６】
前記第１の切符情報は、特急券情報を含み、
前記第２の切符情報は、乗車券情報を含み、
前記通行判定手段は、前記第１の切符情報に含まれる特急券情報と前記第２の切符情報に含まれる乗車券情報とに基づいて通行の可否を判定する、
請求項４又は５に記載の駅務システム。
【請求項７】
列車内の座席毎に設置され、利用者の所持する前記二次元コード券から二次元コードを読み取る第３の読取手段と、
前記第３の読取手段により読み取った前記二次元コードに基づいて列車とこの列車内における座席の位置とを示す列車情報を含む第１の切符情報を取得し、特急列車の空席に関する空席情報を保持するサーバに対して前記列車情報をネットワーク経由で送信する送信手段と、
をさらに具備する請求項４乃至６の何れか１項に記載の駅務システム。
【請求項８】
改札機が処理する二次元コード券を発行する発行装置であって、
利用者による操作を受け取る操作手段と、
利用者の所持するＩＣカードに記憶されている識別情報を受け取る受取手段と、
前記操作手段による操作と前記識別情報とに基づいて切符情報を生成する生成手段と、
前記切符情報をエンコードし、二次元コードを生成する二次元コード生成手段と、
前記改札機が前記切符情報と前記ＩＣカードが記憶する情報とを組み合わせて通行判定するための前記二次元コードを券媒体に印刷した二次元コード券を発行する発行手段と、
を具備する駅務システム。
【発明の詳細な説明】
【技術分野】
【０００１】
本発明の実施形態は、発行装置、改札機、及び駅務システムに関する。
【背景技術】
【０００２】
鉄道の駅には、各種の駅務処理を行なう駅務機器が設置されている。駅務機器は、例えば、改札機、券売機、精算機、または窓口端末などである。これらの駅務機器は、入場券、定期券、及び乗車券などに対して種々の処理を行う。
【０００３】
例えば、入場券、定期券、及び乗車券などは、例えば所定の情報が記憶される磁気券により構成されるものがある。また、例えば、入場券、定期券、及び乗車券などは、所定の情報が記憶されるＩＣカードなどにより構成されるものがある。またさらに、ＩＣカードは、利用者の所持する携帯電話などに内蔵されるものも一般的に知られている。
【０００４】
また、近年では、券媒体として、二次元コードからなる券情報を有する携帯端末機器、二次元コードが印刷された媒体（二次元コード券）を利用し、入出場処理等を行う駅務システムが提案されている。
【０００５】
上記したような二次元コード券は、媒体に二次元コードが印刷されて構成されている。この二次元コード券を処理する駅務機器は、二次元コード券の二次元コードを読み取ることにより券情報を取得し、取得した券情報に基づいて処理を行う。この為、例えば二次元コード券が複写された場合、二次元コード券が不正に利用されることが懸念される。
【先行技術文献】
【特許文献】
【０００６】
【特許文献１】特開２００５−１４１６２６号公報
【発明の概要】
【発明が解決しようとする課題】
【０００７】
本発明が解決しようとする課題は、より安全性の高い発行装置、改札機、及び駅務システムを提供することを目的とする。
【課題を解決するための手段】
【０００８】
上記課題を解決するために、一実施形態に係る改札機は、利用者により提示された二次元コード券から二次元コードを読み取る第１の読取手段と、前記二次元コードに基づいて第１の識別情報を含む第１の切符情報を取得する解析手段と、利用者により提示されたＩＣカードから第２の識別情報を含む第２の切符情報を読み取る第２の読取手段と、前記第１の識別情報と前記第２の識別情報とが一致するか否か判定する判定手段と、前記判定手段により一致すると判定した場合、前記第１の切符情報と前記第２の切符情報とに基づいて通行判定を行う通行判定手段と、前記通行判定手段による判定の結果に基づいて、前記利用者の通行を制御する通行制御手段と、を具備する。
【図面の簡単な説明】
【０００９】
【図１】図１は、一実施形態に係る駅務システムについて説明するための説明図である。
【図２】図２は、一実施形態に係る駅務システムについて説明するための説明図である。
【図３】図３は、一実施形態に係る駅務システムについて説明するための説明図である。
【図４】図４は、一実施形態に係る駅務システムについて説明するための説明図である。
【図５】図５は、一実施形態に係る駅務システムについて説明するための説明図である。
【図６】図６は、一実施形態に係る駅務システムについて説明するための説明図である。
【図７】図７は、一実施形態に係る駅務システムについて説明するための説明図である。
【図８】図８は、一実施形態に係る駅務システムについて説明するための説明図である。
【図９】図９は、一実施形態に係る駅務システムについて説明するための説明図である。
【図１０】図１０は、一実施形態に係る駅務システムについて説明するための説明図である。
【図１１】図１１は、一実施形態に係る駅務システムについて説明するための説明図である。
【図１２】図１２は、一実施形態に係る駅務システムについて説明するための説明図である。
【図１３】図１３は、一実施形態に係る駅務システムについて説明するための説明図である。
【図１４】図１４は、一実施形態に係る駅務システムについて説明するための説明図である。
【発明を実施するための形態】
【００１０】
（第１の実施形態）  
以下、図面を参照しながら駅務システムについて詳細に説明する。  
鉄道各社の駅に設置される券売機、改札機、及び精算機などの駅務機器は、駅務システムを構成する。駅務システムは、鉄道などの交通機関において種々の駅務処理を行なう。各駅務機器は、乗車券を処理することにより、利用者に鉄道機関を利用させることができる。各駅務機器は、例えば各駅に設置される監視盤の制御に基づいて動作する。監視盤は、各駅務機器の運用状況及び運用データなどの管理を行なう。
【００１１】
なお、駅務システムの各駅務機器は、路線内の複数の駅にも設置される。これにより、駅務システム全体が構成される。このような駅務システムでは、各駅において、利用者に対する駅構内への入場あるいは駅構内からの出場などに関する業務を各駅務機器を用いて実施している。
【００１２】
図１は、第１の実施形態に係る駅務システム１００について説明するための説明図である。  
図１に示す駅務システム１００は、種々の駅務機器を備える。駅務システム１００は、例えば、券売機１１０、センタシステム１３０、改札機１４０、携帯端末２００、及び列車内読取装置２５０などを備える。
【００１３】
券売機１１０は、種々の乗車券を発行する発行装置として機能する。券売機１１０は、利用者の所持するＩＣカード（ＩＣ乗車券）１８０から識別情報（例えばＩＤｉ）を読み取る。券売機１１０は、例えば利用者により入力される操作と、ＩＣカード１８０から読み取ったＩＤｉとに基づいて入場券、普通乗車券、自由席特急券及び指定席特急券などの料金券、回数券、並びに精算券（総じて切符と称する）を発行するためのデータ（切符情報）を生成する。
【００１４】
券売機１１０は、生成した切符情報に基づいて二次元コードを生成する。さらに、券売機１１０は、二次元コードを券媒体に印刷し、切符としての二次元コード券１５０を発行する。
【００１５】
また、券売機１１０は、利用者により入力される操作に基づいてＩＣカード１８０の乗車券の残額をチャージする。券売機１１０は、ＩＣカード１８０にチャージ残額の積み増しを行うことができる。また、券売機１１０は、ＩＣカード１８０を使った精算時に不足金額に応じた金額をチャージすることができる。
【００１６】
センタシステム１３０は、券売機１１０、改札機１４０、携帯端末２００、及び列車内読取装置２５０と例えばネットワーク経由で通信を行う。センタシステム１３０は、券売機１１０により発行された切符に関する情報を券売機１１０から受信する。これにより、例えば、センタシステム１３０は、列車における指定席の空席を逐次把握することができる。例えば、センタシステム１３０は、携帯端末２００からの問合せに応じて列車における指定席の空席を示す情報を携帯端末２００に配信することができる。
【００１７】
改札機１４０は、駅の改札口などに設置される。改札機１４０は、利用者の所持する二次元コード券１５０、磁気券１７０、及び／または切符としてのＩＣカード１８０に対して改札処理を行う。
【００１８】
携帯端末２００は、係員（例えば車掌）が操作する端末である。携帯端末２００は、係員により入力される操作に基づいて種々の処理を行う。携帯端末２００は、センタシステム１３０と通信することにより、種々の情報を受け取ることが出来る。例えば、携帯端末２００は、センタシステム１３０に問合せることにより、列車ごとに指定席の空席を示す情報を取得し、表示することができる。
【００１９】
列車内読取装置２５０は、列車内の座席、列車の乗降口、または列車内の他の位置に設けられた読取装置である。列車内読取装置２５０は、利用者の所持する二次元コード券１５０及びＩＣカード１８０から種々の情報を読み取り、ネットワーク経由でセンタシステム１３０に送信する。
【００２０】
以下、各駅務機器の動作について詳細に説明する。  
図２は、一実施形態に係る券売機１１０について説明するための説明図である。  
券売機１１０は、利用者により入力される操作に基づいて二次元コード券１５０を発行する。なお、詳述しないが、券売機１１０は、切符が有する情報（切符情報）に基づいて利用額の不足分を精算し、精算券を発行する精算機の機能を含む。また、券売機１１０は、磁気券１７０及びＩＣ乗車券１８０を発行する機能も備える。また、券売機１１０は、二次元コード券１５０と磁気券１７０とを有する乗車券を発行する機能も備える。たとえば、券売機１１０は、一方の券面に二次元コード券１５０を有し、他方の券面に磁気券１７０を有する乗車券を発行する機能を備える。券売機１１０は、制御部１１１、記憶部１１２、表示部１１３、操作部１１４、現金処理部１１５、二次元コード券処理部１１６、磁気券処理部１１７、及びＩＣカード処理部１１８を備える。
【００２１】
制御部１１１は、券売機１１０の動作を制御する。また、制御部１１１は、他の駅務機器とデータの送受信を行うことができる。
【００２２】
記憶部１１２は、券売機１１０の制御に必要な制御データ、及び二次元コード券１５０を発行するために必要な各種のデータを予め格納している。
【００２３】
表示部１１３は、制御部１１１の制御に基づいて種々の情報を表示する。表示部１１３は、液晶表示器などで構成されている。この表示部１１３は、制御部１１１による制御に基づいて、券売機１１０を利用する利用者に対して二次元コード券１５０の発行業務に必要な各種操作を案内する画面、及び発行する二次元コード券１５０の内容などの種々の情報を案内する画面などを表示する。
【００２４】
操作部１１４は、利用者による操作入力に基づいて操作信号を生成する。操作部１１４は、各種ボタン、または、接触を検知し、検知した接触の位置に基づいて操作信号を生成するタッチパネルなどにより構成される。操作部１１４は、制御部１１１による制御に基づいて、利用者による各種操作の入力を受け付ける。例えば、操作部１１４は、二次元コード券１５０を発行するのに必要な情報の入力を受け付ける。
【００２５】
現金処理部１１５は、利用者により投入される紙幣、及び／または貨幣などを処理する。
【００２６】
二次元コード券処理部１１６は、二次元コード券１５０の発行を行う。例えば、二次元コード券処理部１１６は、二次元コードを媒体に印刷する印刷部と、媒体を収容する収容部を備える。二次元コード券１５０を発行する場合、二次元コード券処理部１１６は、収容部に収容されている媒体に対して制御部１１１により生成される二次元コードを印刷する。これにより、二次元コード券処理部１１６は、切符としての二次元コード券１５０を発行する。
【００２７】
磁気券処理部１１７は、磁気券１７０の発行を行う。例えば、磁気券処理部１１７は、磁気券１７０の磁気層に切符情報に応じた磁気を付加する磁気処理部と、磁気券１７０の媒体を収容する収容部を備える。
【００２８】
磁気券１７０は、磁気層を備える。磁気券１７０は、磁気層の中に、金額情報または乗車可能区間を示す情報、券の識別情報などの切符情報を記憶する。この識別情報は、磁気券固有の情報である。識別情報は、駅務機器に磁気券を識別させるための情報である。金額情報は、この磁気券の金額を示す情報である。乗車可能区間を示す情報は、当該磁気券１７０により利用することが出来る駅の区間を示す情報である。
【００２９】
磁気層に金額情報が記憶されている場合、改札機１４０は、乗車区間と金額情報とに基づいて利用者の通行の可否を判定する。また、磁気層に乗車可能区間を示す情報が記憶されている場合、改札機１４０は、乗車区間と乗車可能区間を示す情報とに基づいて利用者の通行の可否を判定する。
【００３０】
なお、二次元コード券処理部１１６及び磁気券処理部１１７は、券媒体の表面に二次元コードがあり、裏面に磁気層を有する二次元コード券１５０と磁気券１７０との複合券を発行する構成であってもよい。
【００３１】
ＩＣカード処理部１１８は、切符としてのＩＣカード１８０の発行を行う。例えば、ＩＣカード処理部１１８は、ＩＣカード１８０を処理する処理部と、ＩＣチップ及びアンテナを有する媒体を収容する収容部を備える。また、このＩＣチップは、種々の情報を記憶することができるメモリを備える。なお、ＩＣカード１８０を処理する処理部は、ＩＣカード１８０のアンテナと無線通信することができるアンテナを備える。ＩＣカード処理部１１８は、このアンテナを介してＩＣカード１８０と無線通信を行うことができる。
【００３２】
ＩＣカード１８０を発行する場合、ＩＣカード処理部１１８は、収容部に収容されている媒体に対して無線通信を行い、制御部１１１により生成される切符情報をＩＣチップに書き込む。これにより、ＩＣカード処理部１１８は、切符としてのＩＣカード１８０を発行する。さらに、ＩＣカード処理部１１８は、ＩＣカード１８０に運賃として利用される金銭的価値（残額）をチャージする処理を行う構成であってもよい。
【００３３】
ＩＣカード１８０のＩＣチップのメモリは、例えば識別情報（ＩＤｉ）、残額情報、乗降履歴などの切符情報を記憶する。このＩＤｉは、ＩＣカード固有の情報である。ＩＤｉは、駅務機器にＩＣカードを識別させるための情報である。残額情報は、運賃の精算に利用可能である金額を示す情報である。乗降履歴は、改札を受ける際に記録される乗車と降車の履歴を示す情報である。
【００３４】
また、ＩＣカード処理部１１８は、利用者の所持するＩＣカード１８０を読み取ることができる。ＩＣカード処理部１１８は、ＩＣカード１８０を挿入することができるスロットを備える。ＩＣカード処理部１１８は、スロットに挿入されたＩＣカード１８０と無線通信を行う。なお、ＩＣカード処理部１１８は、スロットではなく、ＩＣカード１８０と無線通信をする為のアンテナの位置が券売機１１０の筐体に示された構成であってもよい。
【００３５】
例えば、ＩＣカード処理部１１８は、ＩＣカード１８０からＩＤｉを読み取る。またさらに、ＩＣカード処理部１１８は、ＩＣカード１８０から残額情報、及び条項履歴などを読み取る。制御部１１１は、ＩＣカード処理部１１８により読み取った残額情報、及び条項履歴に基づいて精算に必要な額の算出などを行う。また、ＩＣカード１８０の残額情報は、磁気券１７０、または二次元コード券１５０を発行する為の料金として用いられる構成であってもよい。
【００３６】
図３は、二次元コード券１５０を発行する際の二次元コード券処理部１１６の処理の例を示す。  
券売機１１０は、発売画面を表示部１１３に表示する（ステップＳ１１）。券売機１１０は、操作部１１４による操作入力を受け付ける（ステップＳ１２）。券売機１１０は、発売画面の表示中における操作入力に基づいて、乗車区間（有効区間）、または出場駅を特定する。なお、券売機１１０は、乗車区間を利用者に選択させる構成であっても、出場駅を利用者に選択させる構成であってもよい。
【００３７】
乗車区間を利用者に選択させる場合、例えば、券売機１１０は、券売機１１０が設置されている駅からの乗車区間毎に金額を示すボタンを表示部１１３に表示する。券売機１１０は、このボタンの選択操作に応じて乗車区間を決定する。
【００３８】
出場駅を利用者に選択させる場合、例えば、券売機１１０は、路線内の駅の一覧をボタンとして表示部１１３に表示する。券売機１１０は、このボタンの選択操作に応じて出場駅を決定する。さらに、券売機１１０は、券売機１１０が設置されている駅を入場駅として、入場駅から出場駅までを乗車区間として決定する。
【００３９】
また、入場駅を利用者に選択させる構成であってもよい。この場合も、券売機１１０は、入場駅として選択可能な路線内の駅の一覧をボタンとして表示部１１３に表示する。券売機１１０は、このボタンの選択操作に応じて入場駅を決定する。券売機１１０は、決定した入場駅から出場駅までを乗車区間として決定する。
【００４０】
さらに、券売機１１０は、券種別、媒体ＩＤ（券番号）、利用日（有効期限）、区間（有効区間）などを生成する。券種別は、発行する二次元コード券１５０の種別を示すものである。例えば、券種別は、普通乗車券、自由席特急券、指定席特急券、精算券などの種類がある。
【００４１】
券番号は、二次元コード券１５０を識別する為の固有情報である。券売機１１０は、例えば、二次元コード券１５０の発行順で券番号を生成する。有効期限は、当該二次元コード券１５０により改札処理を受けることができる期限を示す情報である。例えば、券売機１１０は、発効日のみ二次元コード券１５０が有効になるように有効期限を生成する。
【００４２】
また、券種別が指定席特急券である場合、券売機１１０は、上記の有効区間の特急列車の一覧をボタンとして表示する。券売機１１０は、このボタンの選択操作に応じて列車を決定する。
【００４３】
さらに、券売機１１０は、決定した列車における指定席として選択可能な座席の一覧をボタンとして表示する。券売機１１０は、このボタンの選択操作に応じて座席を決定する。券売機１１０は、決定された列車及び座席を示す情報（列車情報）を生成する。
【００４４】
さらに、券売機１１０は、ＩＣカード１８０の挿入を促す画面を表示部１１３に表示する（ステップＳ１３）。ここで、ＩＣカード１８０が券売機１１０のＩＣカード処理部１１８のスロットに挿入された場合、ＩＣカード処理部１１８は、ＩＣカード１８０のＩＤｉを読み取る（ステップＳ１４）。
【００４５】
券売機１１０は、券種別、券番号、有効期限、有効区間、列車情報、及びＩＤｉに基づいて切符情報を生成する（ステップＳ１５）。即ち、切符情報は、券種別、券番号、有効期限、有効区間、列車情報、及びＩＤｉなどの情報を含む。
【００４６】
券売機１１０は、生成した切符情報に基づいて二次元コードを生成し、（ステップＳ１６）、生成した二次元コードを券媒体に印刷する（ステップＳ１７）。上記の処理により、券売機１１０は、二次元コード券１５０を発行する。
【００４７】
なお、券売機１１０は、切符情報を如何なる二次元コードに変換する構成であってもよい。券売機１１０の記憶部１１２は、切符情報を種々の規格の二次元コードに変換する為のアルゴリズム（またはアプリケーション）を記憶する。制御部１１１は、記憶部１１２に記憶されているアルゴリズムを用いて切符情報から二次元コードを生成する。
【００４８】
二次元コードは、水平方向、垂直方向、及びさらに他の方向に情報を持つ表示方式である。二次元コードは、一次元コードに比べ、より多くの情報をコード化できる。即ち、二次元コードは、印字面積を小さくできる。
【００４９】
二次元コードには、例えば、小さな正方形のセルがマトリックス状に配列されたマトリックスコードがある。各セルは、例えば白と黒などの二つの状態で生成される。これにより、二次元コードの各セルは、論理値「０」と「１」とを表現することができる。
【００５０】
図４は、券売機１１０により発行された二次元コード券１５０の例を示す。  
図４に示すように、二次元コード券１５０の券面には、券種別、券番号、有効区間、有効期限、及び列車情報などの券面情報１５１、並びに二次元コード１５２などが印刷される。
【００５１】
券売機１１０は、利用者の操作に基づいて生成した切符情報に基づいて、券面情報１５１を可視インクにより印刷する。これにより、利用者は、券面からこの二次元コード券１５０の切符情報を認識することができる。
【００５２】
また、券売機１１０は、切符情報に基づいて二次元コード１５２を媒体の券面に印刷する。なお、二次元コード１５２は、不可視インクにより印刷されてもよい。この場合、利用者が二次元コード１５２の位置を認識することができるように、二次元コード１５２の位置を示すガイドなどを可視インクにより券面に印刷する構成であってもよい。
【００５３】
不可視インクは、例えば紫外線を照射した場合に可視光（蛍光）を放出する蛍光体が含有された蛍光インクである。ガイドは、二次元コード１５２の位置を利用者に認識させる為のオブジェクトであり、二次元コード１５２の印刷範囲の縁部付近に印刷される。
【００５４】
なお、券売機１１０は、例えばサーマルヘッドなどを用いて媒体としての感熱紙に券面情報１５１、及び二次元コード１５２などを印刷する構成であってもよい。
【００５５】
なお、図４に示される二次元コード券１５０は、切符情報として、券種別「指定席特急券」、券番号「１２３４」、有効期限「２０１１／０５／２６」、有効区間「東京−大阪」、列車情報「特急１０４８号  １０号車４Ｂ」、及びＩＤｉ「ＴＳＢ１０４８１０４８１０４８」などの情報を含む。これらの情報がエンコードされて二次元コード１５２として二次元コード券１５０に印刷されている。
【００５６】
図５及び６は、改札機１４０の構成の例を示す。  
改札機１４０は、二次元コード券１５０、及び切符としてのＩＣカード１８０から情報を読み取り改札処理を行う。なお、改札機１４０は、さらに磁気券１７０から情報を読み取り改札処理を行う構成であってもよい。また、ＩＣカード１８０は、利用者の所持する携帯電話などに内蔵されるものであってもよい。
【００５７】
改札機１４０は、駅の改札口などに設置される。改札機１４０は、改札口で利用者の所持する切符から取得する情報に基づいて、改札処理を行う。これにより、改札機１４０は、利用者の通行の可否を判断する。
【００５８】
図５及び図６により示されるように、改札機１４０は、主制御部１４１、二次元コード券処理部１４２、ＩＣカード処理部１４３、ドア制御部１４４、ドア１４５、表示部１４６、及び本体１４７を備える。主制御部１４１、二次元コード券処理部１４２、ＩＣカード処理部１４３、ドア制御部１４４、及び表示部１４６は、例えばバスなどを介して互いに接続される。
【００５９】
主制御部１４１は、改札機１４０の各部の動作を統合的に制御する。主制御部１４１は、切符情報に基づいて通行判定を行う。主制御部１４１は、通行判定の結果に基づいてドア制御部１４４を制御する。さらに、主制御部１４１は、通行判定の結果に基づいて種々の案内を表示部１４６に表示するように表示部１４６を制御する。
【００６０】
なお、主制御部１４１は、ＣＰＵ、ＲＯＭ、ＲＡＭ、及び不揮発性メモリなどを備える。ＣＰＵは、種々の演算処理を行う。ＣＰＵは、ＲＯＭに記憶されている制御プログラム及び制御データに基づいて種々の処理を行う。例えば、ＣＰＵは、ＲＯＭに記憶されているプログラムを実行することにより、通行判定、ドア制御部１４４の制御、及び表示部１４６による表示処理を行う。
【００６１】
ＲＯＭは、予め改札機１４０の制御用のプログラム及び制御データなどを記憶する不揮発性のメモリである。ＲＡＭは、ワーキングメモリとして機能する揮発性のメモリである。ＲＡＭは、ＣＰＵの処理中のデータなどを一時的に格納する。また、ＲＡＭは、ＣＰＵが実行するプログラムを一時的に展開して格納する。
【００６２】
不揮発性メモリは、ＣＰＵが実行する処理において用いられるプログラム及びデータを記憶する記憶部である。不揮発性メモリは、通行判定、ドア制御部１４４の制御、及び表示部１４６による表示処理などに用いるデータを記憶する。例えば、不揮発性メモリは、運賃データなどを記憶する。
【００６３】
二次元コード券処理部１４２は、利用者が所持する二次元コード券１５０に印刷されている二次元コード１５２を画像として読み取る。二次元コード券処理部１４２は、読み取った二次元コードの画像を解析することにより、元のデータ、即ち、切符情報を取得する。即ち、二次元コード券処理部１４２は、二次元コード券１５０から二次元コードを読み取る読取装置である。二次元コード券処理部１４２は、取得した切符情報を主制御部１４１に送信する。
【００６４】
二次元コード券処理部１４２は、カメラ、及び解析処理部を備える。またさらに、二次元コード券処理部１４２は、照明などを備える構成であってもよい。照明は、利用者が提示する二次元コード券１５０に対して光を照射する。例えば、カメラは、エリアイメージセンサなどを備える。カメラは、照明から射出されて二次元コード券１５０により反射された光から画像を取得する。これにより、二次元コード券処理部１４２は、二次元コード券１５０から二次元コードの画像を取得する。
【００６５】
なお、二次元コード券処理部１４２は、画像中の二次元コードが印刷されている領域を特定する。二次元コード券処理部１４２は、特定した領域で画像を切り出す。これにより、二次元コード券処理部１４２は、二次元コード１５２を含む画像を取得することができる。
【００６６】
さらに、二次元コード券処理部１４２は、取得した二次元コードの画像をデコードし、元の切符情報を取得する。なお、二次元コード券処理部１４２は、種々の規格の二次元コードをデコードする為のアルゴリズム（またはアプリケーション）を記憶するメモリを備える。二次元コード券処理部１４２は、メモリに記憶されているアルゴリズムを用いて二次元コードをデコードし、切符情報を取得する。
【００６７】
なお、上記したように、二次元コード券処理部１４２により取得する切符情報は、少なくともＩＤｉ（第１の識別情報）を含む。二次元コード券処理部１４２は、読み取った切符情報を主制御部１４１に送信する。
【００６８】
ＩＣカード処理部１４３は、利用者が所持する切符としてのＩＣカード１８０に対して処理を行う。ＩＣカード処理部１４３は、送受信部を備える。送受信部は、例えば、ＩＣカード１８０のアンテナを無線通信を行う為のアンテナなどを備える。送受信部は、アンテナによりＩＣカード１８０と無線通信を行う。送受信部は、アンテナから放射される電波が届く範囲（送受信可能エリア）内に存在するＩＣカード１８０を検知する。送受信部は、ＩＣカード１８０を検知する場合、ＩＣカード１８０との間でコマンド及びレスポンスを送受信し、ＩＣカード１８０から切符情報を読み取る。
【００６９】
ＩＣカード１８０は、上記したように識別情報（ＩＤｉ）、残額情報、乗降履歴などの切符情報を記憶する。ＩＣカード処理部１４３は、ＩＣカード１８０から少なくともＩＤｉ（第２の識別情報）を取得する。ＩＣカード処理部１４３は、読み取った切符情報のうち、少なくともＩＤｉを主制御部１４１に送信する。
【００７０】
なお、利用者が駅構内に入場する場合、ＩＣカード処理部１４３は、主制御部１４１の制御に基づいて、ＩＣカード１８０のメモリに入場情報を書き込む。また、利用者が駅構内から出場する場合、ＩＣカード処理部１４３は、主制御部１４１の制御に基づいて、ＩＣカード１８０に出場情報を書き込む。
【００７１】
なお、二次元コード券処理部１４２とＩＣカード処理部１４３とは、同時に読取が可能なように改札機１４０に設置される。即ち、二次元コード券処理部１４２及びＩＣカード処理部１４３は、二次元コード券１５０とＩＣカード１８０とが重ねられている場合に二次元コード券処理部１４２が二次元コード券１５０から二次元コード１５２を読み取ることができ、且つ、ＩＣカード処理部１４３がＩＣカード１８０からＩＤｉを読み取ることが出来るように設置される。
【００７２】
例えば、二次元コード券処理部１４２のカメラは、ＩＣカード処理部１４３のアンテナの近傍または内側に設置される。この場合、改札機１４０は、二次元コード券処理部１４２及びＩＣカード処理部１４３により二次元コード券１５０とＩＣカード１８０とを同時に処理することができる。
【００７３】
また、磁気券１７０から情報を読み取り改札処理を行う構成である場合、改札機１４０は、磁気券処理部をさらに備える。磁気券処理部は、利用者が所持する磁気券１７０に対して処理を行う。磁気券処理部は、磁気券１７０を取り込む取り込み部と、取り込んだ磁気券１７０を搬送する搬送部と、搬送されている磁気券１７０から磁気を検出する磁気ヘッダとを備える。磁気券処理部は、磁気券１７０の磁気層から切符情報を取得し、取得した切符情報を主制御部１４１に送信する。
【００７４】
例えば、利用者が駅構内に入場する場合、磁気券処理部は、主制御部１４１の制御に基づいて、投入される磁気券１７０の磁気層に入場情報を記録する。また、利用者が駅構内から出場する場合、磁気券処理部は、主制御部１４１の制御に基づいて、投入される磁気券１７０の磁気層に出場情報を記録する。
【００７５】
図７は、改札機１４０による改札処理の例を示す。  
上記したように、ＩＣカード処理部１４３は、ＩＣカード１８０からＩＤｉ（第２の識別情報）を取得する（ステップＳ２１）。
【００７６】
また、二次元コード券処理部１４２は、二次元コード券１５０から二次元コード１５２を読み取ることにより、切符情報を読み取る（ステップＳ２２）。なお、上記したように、この切符情報にはＩＤｉ（第１の識別情報）が含まれている。なお、ステップＳ２１の処理とステップＳ２２の処理とは、どちらが先に実行されてもよい。
【００７７】
改札機１４０の主制御部１４１は、ＩＣカード処理部１４３によりＩＣカード１８０から取得したＩＤｉ（第２の識別情報）と、二次元コード券処理部１４２により二次元コード券１５０から取得したＩＤｉ（第１の識別情報）とが一致するか否か判定する（ステップＳ２３）。
【００７８】
第１の識別情報と第２の識別情報とが一致すると判定した場合、主制御部１４１は、通行判定を行う（ステップＳ２４）。即ち、主制御部１４１は、二次元コード券処理部１４２により取得した切符情報と、不揮発性メモリなどにより記憶されている運賃データとに基づいて通行判定を行う。
【００７９】
例えば、主制御部１４１は、切符情報に基づいて、引去り額（運賃）を算出する。即ち、主制御部１４１は、切符情報の券種別が乗車券を示す場合、切符情報の有効区間に基づいて、運賃（引去り額）を算出する。主制御部１４１は、例えば、当該改札機１４０が設置されている駅が、切符情報の有効区間内であるか否かに基づいて利用者の通行の可否を判定する。即ち、主制御部１４１は、当該改札機１４０が設置されている駅が切符情報の有効区間内である場合、利用者の通行を可と判定する。
【００８０】
また、主制御部１４１は、当該改札機１４０が設置されている駅が切符情報の有効区間外である場合、足りない運賃（精算額）をＩＣカード１８０の残額情報から引く構成であってもよい。この為に、主制御部１４１は、入場駅、出場駅、及び金額が対応付けられたテーブルなどを不揮発性メモリに保持する。主制御部１４１は、このテーブルに基づいて精算額を算出し、算出した精算額をＩＣカード１８０から差し引くようにＩＣカード処理部１４３を制御する。主制御部１４１は、ＩＣカード１８０の残額情報が精算額以上である場合、利用者の通行を可と判定する。
【００８１】
また、主制御部１４１は、当該改札機１４０が特急列車に乗車する為の改札口に設置されている場合、切符情報の券種別を参照し、券種別に特急券を含むか、または、券種別に特急券が含まれるか判定する。主制御部１４１は、券種別が自由席特急券及び指定席特急券のいずれかである場合、利用者の通行を不可と判定する。即ち、主制御部１４１は、券種別が自由席特急券及び指定席特急券のどちらでもない場合、利用者の通行を不可と判定する。
【００８２】
また、主制御部１４１は、入出場時にＩＣカード処理部１４３によりＩＣカード１８０に入出場情報（乗降履歴）を書き込んでもよい。主制御部１４１は、この入場情報及び出場情報などの履歴を示す乗降履歴に基づいて、過去の出場情報及び入場情報の正当性を判断し、正当であると判断した場合、通行判定を行う構成であってもよい。
【００８３】
通行判定が可である場合、主制御部１４１は、利用者の通行を促す表示を表示部１４６に表示させ、ドア１４５を開くようにドア制御部１４４を制御する（ステップＳ２５）。
【００８４】
また、通行判定が不可である場合、主制御部１４１は、ドア１４５を閉めるようにドア制御部１４４に制御信号（閉信号）を送信する（ステップＳ２６）。ドア制御部１４４は、ドア１４５の開閉を制御することにより、利用者の通行を制御する。ドア制御部１４４は、ドア１４５の開閉を制御するドア開閉機構（図示せず）を備える。ドア制御部１４４は、主制御部１４１からの閉信号の有無に基づいて、ドア１４５の開閉を制御する。ドア制御部１４４は、主制御部１４１から閉信号を受信した場合、ドアの開閉機構のモータなどを動作させることにより、ドア１４５を閉じる。
【００８５】
図５により示されるように、ドア１４５は、改札機１４０の本体１４７の側面部に設置されている。また、通常、複数の改札機１４０が改札口に並列に設置される。複数の改札機１４０の本体１４７により少なくとも１つ以上の通路が形成される。ドア１４５は、この通路を塞ぐように開閉する。
【００８６】
表示部１４６は、主制御部１４１の制御に基づいて、種々の案内を表示する。表示部１４６は、液晶ディスプレイ、プラズマディスプレイ、有機ＥＬディスプレイ、または他の表示装置などのうちのいずれかを備える。例えば、表示部１４６は、通行の可否、残額情報が示す金額、定期券の有効期限、及び、利用者を窓口に誘導する案内などを表示する。
【００８７】
改札機１４０は、通常、ドア１４５を開いた状態で維持する。即ち、改札機１４０のドア制御部１４４は、ドア１４５を閉める動作を待つ状態となる。
【００８８】
ここで、例えば、主制御部１４１による通行判定が行われたとする。主制御部１４１は、通行判定において、通行不可と判定した場合、ドア１４５を閉じるようにドア制御部１４４を制御する。この場合、ドア制御部１４４は、ドア１４５を閉じるようにドアの開閉機構のモータなどを動作させる。これにより、改札機１４０は、通行不可と判定された切符を所持する利用者の通行を防ぐことができる。
【００８９】
図８は、改札機１４０による通行判定処理の例を示す。  
改札機の主制御部１４１は、切符情報の券種別に乗車券が含まれるか否か判定する（ステップＳ３１）。切符情報の券種別に乗車券が含まれないと判定した場合、主制御部１４１は、運賃を算出する（ステップＳ３２）。
【００９０】
切符情報の券種別に乗車券が含まれると判定した場合、主制御部１４１は、改札機１４０の設置駅が有効区間内であるか否か判定する（ステップＳ３３）。改札機１４０の設置駅が有効区間内ではないと判定した場合、主制御部１４１は、精算額を算出する（ステップＳ３４）。
【００９１】
主制御部１４１は、ＩＣカード１８０から引き去り可能であるか否か判定する（ステップＳ３５）。即ち、主制御部１４１は、ＩＣカード１８０の残額と、運賃または精算額を比較することにより、引き去り可能であるか否か判定する。
【００９２】
ステップＳ３３において、改札機１４０の設置駅が有効区間内であると判定した場合、または、ステップＳ３５において、ＩＣカード１８０から引き去り可能であると判定した場合、主制御部１４１は、急行券（特別急行券または普通急行券）が必要か否か判定する（ステップＳ３６）。
【００９３】
急行券が必要であると判定した場合、主制御部１４１は、切符情報の券種別に急行券が含まれており、且つ、改札機１４０の設置駅が急行券の有効区間内であるか否か判定する（ステップＳ３７）。
【００９４】
ステップＳ３６において、急行券が必要ではないと判定した場合、または、ステップＳ３７において、切符情報の券種別に急行券が含まれており、且つ、改札機１４０の設置駅が急行券の有効区間内であると判定した場合、主制御部１４１は、通行可と判定する（ステップＳ３８）。
【００９５】
また、ステップＳ３５において、ＩＣカード１８０から引き去り不可であると判定した場合、主制御部１４１は、通行不可と判定する（ステップＳ３９）。また、ステップＳ３７において、切符情報の券種別に急行券が含まれていない、または、改札機１４０の設置駅が急行券の有効区間内ではないと判定した場合、主制御部１４１は、通行不可と判定する（ステップＳ３９）。
【００９６】
また、列車内読取装置２５０は、利用者の所持する二次元コード券１５０及びＩＣカード１８０から種々の情報を読み取り、ネットワーク経由でセンタシステム１３０に送信する。例えば、列車内読取装置２５０は、二次元コード券１５０が指定席特急券である場合、二次元コード券１５０から読み取った列車情報をセンタシステム１３０に送信する。センタシステム１３０は、列車内読取装置２５０から列車情報を受信した場合、受信した列車情報が示す座席を乗車済みと認識する。これにより、センタシステム１３０は、逐次指定席への乗車状況を認識することができる。即ち、センタシステム１３０は、列車の指定席の空席を逐次認識することが出来る。
【００９７】
図９は、列車内読取装置２５０の構成の例を示す。
【００９８】
列車内読取装置２５０は、制御部２５１、記憶部２５２、二次元コード券処理部２５６、及びＩＣカード処理部２５８を備える。制御部２５１、記憶部２５２、二次元コード券処理部２５６、及びＩＣカード処理部２５８は、例えばバスなどを介して互いに接続される。
【００９９】
制御部２５１は、列車内読取装置２５０の各部の動作を統合的に制御する。制御部２５１は、二次元コード券処理部２５６またはＩＣカード処理部２５８により読み取った切符情報をセンタシステム１３０に送信する処理を行う。
【０１００】
なお、制御部２５１は、ＣＰＵ、ＲＯＭ、及びＲＡＭなどを備える。ＣＰＵは、種々の演算処理を行う。ＣＰＵは、ＲＯＭに記憶されている制御プログラム及び制御データに基づいて種々の処理を行う。例えば、ＣＰＵは、ＲＯＭに記憶されているプログラムを実行することにより、二次元コード券処理部２５６またはＩＣカード処理部２５８により切符情報を読み取り、センタシステム１３０に送信する。
【０１０１】
ＲＯＭは、予め列車内読取装置２５０の制御用のプログラム及び制御データなどを記憶する不揮発性のメモリである。ＲＡＭは、ワーキングメモリとして機能する揮発性のメモリである。ＲＡＭは、ＣＰＵの処理中のデータなどを一時的に格納する。また、ＲＡＭは、ＣＰＵが実行するプログラムを一時的に展開して格納する。
【０１０２】
記憶部２５２は、ＣＰＵが実行する処理において用いられるプログラム及びデータを記憶する記憶部である。また、列車内読取装置２５０が列車内の座席ごとに設置される場合、各列車内読取装置２５０の記憶部２５２は、それぞれ自身の列車及び座席の位置を示す情報を記憶する。
【０１０３】
二次元コード券処理部２５６は、利用者が所持する二次元コード券１５０に印刷されている二次元コード１５２に基づいて切符情報を取得する。なお、二次元コード券処理部２５６は、改札機１４０の二次元コード券処理部１４２と同様の構成である。二次元コード券処理部２５６は、取得した切符情報を制御部２５１に送信する。なお、上記したように、この切符情報には、ＩＤｉ（第１の識別情報）が含まれている。
【０１０４】
ＩＣカード処理部２５８は、利用者が所持する切符としてのＩＣカード１８０に対して処理を行い、ＩＣカード１８０から切符情報を読み取る。なお、ＩＣカード処理部２５８は、改札機１４０のＩＣカード処理部１４３と同様の構成である。ＩＣカード処理部２５８は、取得した切符情報を制御部２５１に送信する。なお、上記したように、この切符情報には、ＩＤｉ（第２の識別情報）が含まれている。
【０１０５】
制御部２５１は、ＩＣカード処理部２５８によりＩＣカード１８０から取得したＩＤｉ（第２の識別情報）と、二次元コード券処理部２５６により二次元コード券１５０から取得したＩＤｉ（第１の識別情報）とが一致するか否か判定する。
【０１０６】
第１の識別情報と第２の識別情報とが一致しないと判定した場合、制御部２５１は、センタシステム１３０を介して、または直接、携帯端末２００に情報を送信する。制御部２５１は、例えば、不一致が発生した列車及び座席を示す情報、及び不一致が発生した時刻などを携帯端末２００に送信する。
【０１０７】
第１の識別情報と第２の識別情報とが一致したと判定した場合、制御部２５１は、読み取った切符情報の列車情報と記憶部２５２により記憶されている情報とを突合する。読み取った切符情報の列車情報と記憶部２５２により記憶されている情報とが一致しない場合、制御部２５１は、センタシステム１３０を介して、または直接、携帯端末２００に情報を送信する。制御部２５１は、例えば、不一致が発生した列車及び座席を示す情報、及び不一致が発生した時刻などを携帯端末２００に送信する。
【０１０８】
読み取った切符情報の列車情報と記憶部２５２により記憶されている情報が一致する場合、制御部２５１は、二次元コード券１５０から読み取った切符情報をセンタシステム１３０に送信する。センタシステム１３０は、列車内読取装置２５０から切符情報を受信した場合、受信した切符情報の有効区間分の列車情報が示す座席を乗車済みと認識する。これにより、センタシステム１３０は、逐次指定席への乗車状況を認識することができる。即ち、センタシステム１３０は、列車の指定席の空席を逐次認識することが出来る。
【０１０９】
また、二次元コード券１５０が自由席特急券である場合、切符情報及び記憶部２５２により記憶されている列車及び座席を示す情報をセンタシステム１３０に送信する構成であってもよい。これにより、センタシステム１３０は、列車の自由席内における空席の数及び位置を逐次認識することができる。また、センタシステム１３０は、認識した列車の自由席内における空席の数及び位置を示す情報を携帯端末２００に配信する構成であってもよい。
【０１１０】
図１０は、列車内読取装置２５０による処理の例を示す。  
列車内読取装置２５０の制御部２５１は、ＩＣカード処理部２５８によりＩＣカード１８０からＩＤｉ（第２の識別情報）を取得する（ステップＳ４１）。
【０１１１】
また、制御部２５１は、二次元コード券処理部２５６により二次元コード券１５０から二次元コード１５２を読み取ることにより、切符情報を読み取る（ステップＳ４２）。なお、ステップＳ４１の処理とステップＳ４２の処理とは、どちらが先に実行されてもよい。
【０１１２】
制御部２５１は、ＩＣカード１８０から取得したＩＤｉ（第２の識別情報）と、二次元コード券１５０から取得したＩＤｉ（第１の識別情報）とが一致するか否か判定する（ステップＳ４３）。
【０１１３】
第１の識別情報と第２の識別情報とが一致すると判定した場合、主制御部１４１は、切符情報の列車情報と、記憶部２５２の情報とが一致するか否か判定する（ステップＳ４４）。
【０１１４】
切符情報の列車情報と、記憶部２５２の情報とが一致すると判定した場合、制御部２５１は、センタシステム１３０に切符情報を送信する（ステップＳ４５）。
【０１１５】
また、ステップＳ４３において、第１の識別情報と第２の識別情報とが一致しないと判定した場合、またはステップＳ４４において、切符情報の列車情報と記憶部２５２の情報とが一致しないと判定した場合、制御部２５１は、不一致であることを示す情報（不一致情報）をセンタシステム１３０を介して携帯端末２００に送信する（ステップＳ４６）。なお、制御部２５１は、上記の切符情報を不一致情報と併せて携帯端末２００に送信する。また、制御部２５１は、不一致情報を直接携帯端末２００に送信する構成であってもよい。
【０１１６】
図１１は、携帯端末２００の構成の例を示す。
【０１１７】
携帯端末２００は、係員（例えば車掌）が操作する端末である。携帯端末２００は、係員により入力される操作に基づいて種々の処理を行う。携帯端末２００は、センタシステム１３０と通信することにより、種々の情報を受け取ることが出来る。例えば、携帯端末２００は、センタシステム１３０に問合せることにより、列車ごとに指定席の空席を示す情報を取得し、表示することができる。
【０１１８】
携帯端末２００は、制御部２０１、記憶部２０２、表示部２０３、操作部２０４、二次元コード券処理部２０６、及びＩＣカード処理部２０８を備える。制御部２０１、記憶部２０２、表示部２０３、操作部２０４、二次元コード券処理部２０６、及びＩＣカード処理部２０８は、例えばバスなどを介して互いに接続される。
【０１１９】
制御部２０１は、携帯端末２００の各部の動作を統合的に制御する。なお、制御部２５１は、ＣＰＵ、ＲＯＭ、及びＲＡＭなどを備える。ＣＰＵは、種々の演算処理を行う。ＣＰＵは、ＲＯＭに記憶されている制御プログラム及び制御データに基づいて種々の処理を行う。
【０１２０】
ＲＯＭは、予め携帯端末２００の制御用のプログラム及び制御データなどを記憶する不揮発性のメモリである。ＲＡＭは、ワーキングメモリとして機能する揮発性のメモリである。ＲＡＭは、ＣＰＵの処理中のデータなどを一時的に格納する。また、ＲＡＭは、ＣＰＵが実行するプログラムを一時的に展開して格納する。
【０１２１】
記憶部２０２は、ＣＰＵが実行する処理において用いられるプログラム及びデータを記憶する記憶部である。また、記憶部２０２は、センタシステム１３０から配信された種々の情報を記憶する。例えば、記憶部２０２は、センタシステム１３０から配信された列車の自由席における空席の数、空席の位置などを記憶する。さらに、記憶部２０２は、列車の指定席における空席の数、空席の位置などを記憶する。またさらに、記憶部２０２は、当該携帯端末２００を所持する係員が乗車している列車を示す情報などを記憶する構成であってもよい。
【０１２２】
表示部２０３は、制御部２０１の制御に基づいて種々の情報を表示する。表示部２０３は、液晶表示器などで構成されている。この表示部２０３は、制御部２０１による制御に基づいて、携帯端末２００を操作する係員に対して検札、及び二次元コード券１５０の発行業務に必要な各種操作を案内する画面などを表示する。
【０１２３】
操作部２０４は、利用者による操作入力に基づいて操作信号を生成する。操作部２０４は、各種ボタン、または、接触を検知し、検知した接触の位置に基づいて操作信号を生成するタッチパネルなどにより構成される。操作部２０４は、制御部２０１による制御に基づいて、利用者による各種操作の入力を受け付ける。例えば、操作部２０４は、二次元コード券１５０を発行するのに必要な情報の入力を受け付ける。
【０１２４】
二次元コード券処理部２０６は、二次元コード券１５０の発行を行う。例えば、二次元コード券処理部２０６は、二次元コードを媒体に印刷する印刷部と、媒体を収容する収容部を備える。即ち、二次元コード券処理部２０６は、券売機１１０の二次元コード券処理部１１６と同様の構成を備える。
【０１２５】
ＩＣカード処理部２０８は、利用者の所持するＩＣカード１８０を読み取る。これにより、ＩＣカード処理部２０８は、ＩＣカード１８０からＩＤｉを読み取る。即ち、ＩＣカード処理部２０８は、少なくとも券売機１１０のＩＣカード処理部１１８の機能の一部を備える構成である。
【０１２６】
制御部２０１は、操作部２０４による操作入力に基づいて、センタシステム１３０に問合せを行う。例えば、制御部２０１は、列車の自由席における空席の数及び空席の位置、並びに、列車の指定席における空席の数及び空席の位置などの問い合わせを行う。
【０１２７】
センタシステム１３０は、上記したように、問合せに応じて自身が認識している列車の自由席における空席の数及び空席の位置、並びに、列車の指定席における空席の数及び空席の位置を携帯端末２００に配信する。
【０１２８】
携帯端末２００は、受信したこれらの情報を記憶部２０２に記憶する。さらに、制御部２０１は、記憶部２０２により記憶されている列車の自由席における空席の数及び空席の位置、並びに、列車の指定席における空席の数及び空席の位置を表示部２０３に表示させることができる。これにより、携帯端末２００は、これらの情報を係員に報知することができる。
【０１２９】
なお、携帯端末２００は、操作に応じてではなく定期的にセンタシステム１３０に列車の自由席における空席の数及び空席の位置、並びに、列車の指定席における空席の数及び空席の位置を問い合わせる構成であってもよい。
【０１３０】
上記したように、携帯端末２００は、指定席及び自由席の空席を示す情報を逐次認識することができる。さらに、携帯端末２００は、これらの空席の切符を二次元コード券１５０として発行する構成であってもよい。
【０１３１】
携帯端末２００は、図３に示された処理と同様の処理を行うことにより、自由席特急券、または指定席特急券の二次元コード券１５０を発行することができる。
【０１３２】
即ち、携帯端末２００は、操作部２０４による操作入力を受け付ける。携帯端末２００の操作部２０４の操作に基づいて、二次元コード券１５０を発行する為の画面を表示部２０３に表示させる。
【０１３３】
例えば、携帯端末２００の制御部２０１は、記憶部２０２により記憶されている空席の一覧を表示部２０３にボタンとして表示させる。制御部２０１は、このボタンの選択操作に応じて座席を決定する。これにより、制御部２０１は、列車情報を生成することができる。なお、自由席特急券を発行する場合、この操作は省略される。さらに、制御部２０１は、操作部２０４による操作入力に応じて有効区間を決定する。また、制御部２０１は、操作部２０４による操作入力に応じて券種別を決定する。さらに、制御部２０１は、券番号及び有効期限を決定する。
【０１３４】
また、携帯端末２００の制御部２０１は、ＩＣカード処理部２０８により利用者の所持するＩＣカード１８０からＩＤｉを読み取る。
【０１３５】
携帯端末２００の制御部２０１は、上記の処理により決定された列車情報、有効区間、券種別、券番号、有効期限、及びＩＤｉに基づいて切符情報を生成する。制御部２０１は、生成した切符情報をエンコードし、二次元コードを生成する。制御部２０１は、生成した二次元コードを券媒体に印刷するように二次元コード券処理部２０６を制御する。上記の処理により、携帯端末２００は、二次元コード券１５０を発行することができる。
【０１３６】
例えば、係員は、列車の発車後に携帯端末２００によりその列車の指定席及び自由席の空席を示す情報を確認することができる。これにより、係員は、携帯端末２００を用いることにより、空席分の特急券の二次元コード券１５０を発行することができる。これにより、例えば、発売済みであり、未入場であり、且つ、空席の座席の指定席特急券などを列車内で販売することができる。
【０１３７】
また、係員は、列車の発車後に携帯端末２００によりその列車の指定席及び自由席の空席を示す情報を確認することができる。この結果、従来の検札を行う必要がなくなる。即ち、利用者が特急券を所持しているか否かを列車内に設置された列車内読取装置２５０により確認することができる。
【０１３８】
さらに、携帯端末２００は、車内で発行した二次元コード券１５０の列車情報をセンタシステム１３０に送信する構成であってもよい。これによりセンタシステム１３０は、列車内で発行された二次元コード券１５０に対応する座席が着座済みであると認識することができる。
【０１３９】
なお、携帯端末２００が磁気券処理部を備える場合、携帯端末２００は、上記の切符情報を磁気層に記憶し、磁気券１７０を発行する構成であってもよい。
【０１４０】
また、改札機１４０は、改札処理を行った二次元コード券１５０に関する情報をセンタシステム１３０に送信する構成であってもよい。例えば、改札機１４０は、二次元コード券１５０が指定席特急券である場合、二次元コード券１５０から読み取った列車情報をセンタシステム１３０に送信する。センタシステム１３０は、改札機１４０から列車情報を受信した場合、受信した列車情報が示す座席を乗車済みと認識する。これにより、センタシステム１３０は、逐次指定席への乗車状況を認識することができる。即ち、センタシステム１３０は、列車の指定席の空席を逐次認識することが出来る。
【０１４１】
上記したように、本実施形態に係る券売機１１０は、ＩＣカード１８０からＩＤｉを読み取り、このＩＤｉを含む切符情報を生成し、切符情報を二次元コード１５２に変換し、二次元コード１５２を二次元コード券１５０に印刷する。改札機１４０は、二次元コード券１５０からＩＤｉ（第１の識別情報）を取得し、ＩＣカード１８０からＩＤｉ（第２の識別情報）を取得し、第１の識別情報と第２の識別情報とが一致した場合、通行判定を行う。
【０１４２】
これにより、改札機１４０は、二次元コード券１５０が複製された場合であっても、利用者が二次元コード券１５０の発行に用いたＩＣカード１８０を持っていない場合、利用者の通行を防ぐことができる。この結果、より安全性の高い発行装置、改札機、及び駅務システムを提供することができる。
【０１４３】
なお、上記した実施形態では、券売機１１０は、ＩＣカード１８０から読み取ったＩＤｉを用いて二次元コード券１５０を発行する為の切符情報を生成する構成として説明したが、この構成に限定されない。券売機１１０は、ＩＣカード１８０に記憶されている他の情報を用いて二次元コード券１５０を発行する為の切符情報を生成する構成であってもよい。例えば、券売機１１０は、ＩＣカード１８０に記憶されている他の識別情報、発行証明書、個人情報、残額情報、出入場の履歴情報、製造時のＩＤであるＩＤｍ、またはこれらの組み合わせを識別情報として用いる構成であってもよい。
【０１４４】
また、上記の実施形態では、二次元コード券１５０の切符情報に基づいて通行判定を行う構成について説明したが、この構成に限定されない。二次元コード券１５０が自由席特急券、または指定席特急券である場合、改札機１４０は、運賃に関する処理をＩＣカード１８０に対して行う構成であってもよい。この場合、改札機１４０は、二次元コード券１５０の切符情報に基づいて、二次元コード券１５０が有効な特急券であるか否か判定する。さらに、改札機１４０は、ＩＣカード１８０の切符情報に基づいて、通常の通行判定、即ち、ＩＣカード１８０の残額情報に基づく通行判定を行う。改札機１４０は、この両方の判定結果が可である場合、利用者の通行を許可する。
【０１４５】
さらに、改札機１４０は、センタシステム１３０からの情報に基づいて、通行判定を行う構成であってもよい。即ち、改札機１４０は、ＩＣカード１８０に記憶されている入出場履歴の変わりにセンタシステム１３０に記憶される履歴を利用して判定する構成であってもよい。
【０１４６】
（第２の実施形態）  
また、上記の第１の実施形態に係る駅務システム１００は、券売機１１０または携帯端末２００が二次元コード券１５０を発行する構成として説明したが、この構成に限定されない。センタシステム１３０にネットワーク経由で接続されている他の機器により二次元コード券１５０を発行する構成であってもよい。
【０１４７】
図１２は、第２の実施形態に係る駅務システム１００について説明するための説明図である。  
図１２に示す駅務システム１００は、種々の駅務機器を備える。駅務システム１００は、例えば、券売機１１０、情報処理端末１２０、センタシステム１３０、改札機１４０、携帯端末２００、及び列車内読取装置２５０などを備える。なお、券売機１１０、センタシステム１３０、改札機１４０、携帯端末２００、及び列車内読取装置２５０は、第１の実施形態と同様の構成である為、詳細な説明を省略する。
【０１４８】
情報処理端末１２０は、切符を発行する発行装置として機能する。情報処理端末１２０は、利用者の所持する切符としてのＩＣカード１８０からＩＤｉを読み取る。情報処理端末１２０は、例えば利用者により入力される操作と、ＩＣカード１８０から読み取ったＩＤｉとに基づいて入場券、定期券、普通乗車券、自由席特急券及び指定席特急券などの料金券、回数券、並びに精算券（総じて切符と称する）を発行するためのデータ（切符情報）を生成する。なお、本例では、自由席特急券または指定席特急券を発行する例について説明する。
【０１４９】
情報処理端末１２０は、生成した切符情報に基づいて二次元コードを生成する。さらに、情報処理端末１２０は、二次元コードを券媒体に印刷し、切符としての二次元コード券１５０を発行する。
【０１５０】
また、本例では、センタシステム１３０は、自由席及び指定席の空席に関する情報を情報処理端末１２０にネットワーク経由で配信することができる。
【０１５１】
図１３は、一実施形態に係る情報処理端末１２０について説明するための説明図である。  
情報処理端末１２０は、利用者により入力される操作に基づいて二次元コード券１５０を発行する。情報処理端末１２０は、制御部１２１、記憶部１２２、表示部１２３、操作部１２４、二次元コード券処理部１２６、及びＩＣカード処理部１２８を備える。
【０１５２】
制御部１２１は、情報処理端末１２０の動作を制御する。また、制御部１２１は、ネットワーク経由でセンタシステム１３０とデータの送受信を行うことができる。
【０１５３】
記憶部１２２は、情報処理端末１２０の制御に必要な制御データ、及び二次元コード券１５０を発行するために必要な各種のデータを記憶する。なお、記憶部１２２は、センタシステム１３０から二次元コード券１５０を発行するために必要な各種のデータを受け取り、記憶する構成であってもよい。
【０１５４】
表示部１２３は、制御部１２１の制御に基づいて種々の情報を表示する。表示部１２３は、液晶表示器などで構成されている。例えば、制御部１２１は、記憶部１２２により記憶されている二次元コード券１５０を発行するために必要なデータに基づいて画面を生成し、表示部１２３に表示させる。
【０１５５】
これにより、表示部１２３は、情報処理端末１２０を利用する利用者に対して二次元コード券１５０の発行業務に必要な各種操作を案内する画面、及び発行する二次元コード券１５０の内容などの種々の情報を案内する画面などを表示することができる。なお、表示部１２３は、制御部１２１に接続される形で情報処理端末１２０の外部に設けられていてもよい。
【０１５６】
操作部１２４は、利用者による操作入力に基づいて操作信号を生成する。操作部１２４は、表示部１２３により表示されている画面上における操作に基づいて種々の操作信号を生成する。例えば、操作部１２４は、表示部１２３とともに、接触を検知し、検知した接触の位置に基づいて操作信号を生成するタッチパネルなどにより構成されていてもよい。操作部１２４は、制御部１２１による制御に基づいて、利用者による各種操作の入力を受け付ける。例えば、操作部１２４は、二次元コード券１５０を発行するのに必要な情報の入力を受け付ける。
【０１５７】
二次元コード券処理部１２６は、二次元コード券１５０の発行を行う。例えば、二次元コード券処理部１２６は、二次元コードを媒体に印刷する印刷部と、媒体を収容する収容部を備える。二次元コード券１５０を発行する場合、二次元コード券処理部１２６は、収容部に収容されている媒体に対して制御部１２１により生成される二次元コードを印刷する。これにより、二次元コード券処理部１２６は、切符としての二次元コード券１５０を発行する。なお、二次元コードを媒体に印刷する印刷部及び媒体を収容する収容部は、制御部１２１に接続される形で情報処理端末１２０の外部に設けられていてもよい。
【０１５８】
ＩＣカード処理部１２８は、利用者の所持するＩＣカード１８０を読み取る。これにより、ＩＣカード処理部１２８は、ＩＣカード１８０からＩＤｉを読み取る。この為に、ＩＣカード処理部１２８は、ＩＣカード１８０のアンテナと通信を行う為のアンテナ及び信号処理部などを備える。
【０１５９】
なお、情報処理端末１２０は、なんらかの手段により利用者の所持するＩＣカード１８０のＩＤｉを受け取る構成であればよい。ＩＣカード１８０の券面には、ＩＤｉが刻印されている場合がある。このような場合、情報処理端末１２０は、操作部１２４により利用者にＩＤｉを入力させる構成であってもよい。
【０１６０】
情報処理端末１２０は、発売画面を表示部１２３に表示する。情報処理端末１２０は、操作部１２４による操作入力を受け付ける。情報処理端末１２０の制御部１２１は、操作入力に基づいて、券種別、券番号、有効期限、有効区間、列車情報などを生成する。なお、情報処理端末１２０は、これらの情報を生成するために券売機１１０と同様の方法を用いる。
【０１６１】
制御部１２１は、券種別、券番号、有効期限、有効区間、列車情報、及びＩＤｉに基づいて切符情報を生成する。即ち、切符情報は、券種別、券番号、有効期限、有効区間、列車情報、及びＩＤｉなどの情報を含む。
【０１６２】
情報処理端末１２０は、生成した切符情報に基づいて二次元コードを生成する。さらに、情報処理端末１２０は、生成した二次元コードを券媒体に印刷するように二次元コード券処理部１２６を制御する。上記の処理により、券売機１１０は、二次元コード券１５０を発行することができる。
【０１６３】
図１４は、券売機１１０により発行された二次元コード券１５０の例を示す。  
図１４に示すように、券媒体１５５の一部が二次元コード券１５０として形成される。二次元コード券１５０の券面には、第１の実施形態と同様に、券種別、券番号、有効区間、有効期限、及び列車情報などの券面情報１５１、並びに二次元コード１５２などが印刷される。
【０１６４】
利用者は、図１４に示される二次元コード券１５０をＩＣカード１８０と重ねて改札機１４０に翳すことにより改札処理を受けることが出来る。
【０１６５】
なお、上記した方法により特急券としての二次元コード券１５０を発行した場合、改札機１４０は、特急券の料金と運賃とをＩＣカード１８０の残額情報から差し引く。これにより、利用者は、現金を扱うことなく特急券の発行を受けることが出来る。
【０１６６】
この結果、例えば情報処理端末１２０は、ネットワーク接続され、且つプリンタなどが接続されたパソコンなどにより構成されていてもよい。この場合、情報処理端末１２０は、センタシステム１３０に接続し、上記したような画面表示を行い、ＩＤｉを利用者に入力させることにより、切符情報を生成することが出来る。情報処理端末１２０は、生成した切符情報をエンコードして二次元コードを生成し、プリンタにより図１４により示される券媒体１５５に券面情報１５１及び二次元コード１５２を印刷する。これにより、情報処理端末１２０は、二次元コード券１５０を発行することが出来る。
【０１６７】
上記したような構成によると、利用者は、事前に二次元コード券１５０の発行を受けることが出来る。さらに、一般的なパソコンにより二次元コード券１５０の発行が可能である為、より利便性の高い駅務システムを提供することができる。
【０１６８】
なお、情報処理端末１２０は、券売機１１０と同様の現金処理部を備える構成であってもよい。この場合、特急券の料金を現金処理部により精算することが出来る。この場合、改札機１４０は、切符としての運賃をＩＣカード１８０から差し引く。なお、この現金処理部は、情報処理端末１２０の制御部１２１と接続される形で情報処理端末１２０の外部に設けられていてもよい。
【０１６９】
さらに、情報処理端末１２０は、クレジット決済、及びＩＣカード１８０の残額を用いた決済などを行う処理部をさらに備えていてもよい。この場合、情報処理端末１２０は、特急券の料金、及び運賃をクレジットカード、またはＩＣカード１８０の残額などにより精算することができる。
【０１７０】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１７１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
以下、本願の出願当初の特許請求の範囲の記載を付記する。  
［１］
利用者による操作を受け取る操作手段と、
識別情報を受け取る受取手段と、
前記操作手段による操作と前記識別情報とに基づいて切符情報を生成する生成手段と、
前記切符情報をエンコードし、二次元コードを生成する二次元コード生成手段と、
前記二次元コードを券媒体に印刷し二次元コード券を発行する発行手段と、
を具備する発行装置。
［２］
前記受取手段は、利用者の所持するＩＣカードに記憶されている前記識別情報を受け取る、［１］に記載の発行装置。
［３］
前記受取手段は、前記ＩＣカードから前記識別情報を読み取る読取手段を具備する、［２］に記載の発行装置。
［４］
特急列車の空席に関する空席情報を保持するサーバから前記空席情報をネットワーク経由で受信する受信手段をさらに具備し、
前記生成手段は、前記操作手段による操作と前記識別情報と前記空席情報とに基づいて切符情報を生成する、
［３］に記載の発行装置。
［５］
前記切符情報は、列車とこの列車内における座席の位置とを示す列車情報を有し、
前記生成手段は、前記空席情報に基づいて列車情報を生成する、
［４］に記載の発行装置。
［６］
前記受取手段は、前記操作手段による操作に基づいて前記識別情報を生成する、［２］に記載の発行装置。
［７］
利用者により提示された二次元コード券から二次元コードを読み取る第１の読取手段と、
前記二次元コードに基づいて第１の識別情報を含む第１の切符情報を取得する解析手段と、
利用者により提示されたＩＣカードから第２の識別情報を読み取る第２の読取手段と、
前記第１の識別情報と前記第２の識別情報とが一致するか否か判定する判定手段と、
前記判定手段により一致すると判定した場合、通行判定を行う通行判定手段と、
前記通行判定手段による判定の結果に基づいて、前記利用者の通行を制御する通行制御手段と、
を具備する改札機。
［８］
前記第２の読取手段は、前記ＩＣカードから前記第２の識別情報を含む第２の切符情報を読み取り、
前記通行判定手段は、前記第１の切符情報と前記第２の切符情報との両方またはいずれか一方に基づいて通行判定を行う、
［７］に記載の改札機。
［９］
二次元コード券を発行する発行装置と、前記二次元コード券を処理する改札機とを備える駅務システムであって、
前記発行装置は、
利用者による操作を受け取る操作手段と、
利用者の所持するＩＣカードに記憶されている識別情報を受け取る受取手段と、
前記操作手段による操作と前記識別情報とに基づいて切符情報を生成する生成手段と、
前記切符情報をエンコードし、二次元コードを生成する二次元コード生成手段と、
前記二次元コードを券媒体に印刷し二次元コード券を発行する発行手段と、
を具備し、
前記改札機は、
利用者により提示された前記二次元コード券から二次元コードを読み取る第１の読取手段と、
前記二次元コードに基づいて第１の識別情報を含む第１の切符情報を取得する解析手段と、
利用者により提示された前記ＩＣカードから第２の識別情報を読み取る第２の読取手段と、
前記第１の識別情報と前記第２の識別情報とが一致するか否か判定する判定手段と、
前記判定手段により一致すると判定した場合、通行判定を行う通行判定手段と、
前記通行判定手段による判定の結果に基づいて、前記利用者の通行を制御する通行制御手段と、
を具備する駅務システム。
［１０］
列車内の座席毎に設置され、利用者の所持する前記二次元コード券から二次元コードを読み取る第３の読取手段と、
前記第３の読取手段により読み取った前記二次元コードに基づいて列車とこの列車内における座席の位置とを示す列車情報を含む第１の切符情報を取得し、特急列車の空席に関する空席情報を保持するサーバに対して前記列車情報をネットワーク経由で送信する送信手段と、
をさらに具備する［９］に記載の駅務システム。
【符号の説明】
【０１７２】
１００…駅務システム、１１０…券売機、１１１…制御部、１１２…記憶部、１１３…表示部、１１４…操作部、１１５…現金処理部、１１６…二次元コード券処理部、１１７…磁気券処理部、１１８…ＩＣカード処理部、１２０…情報処理端末、１２１…制御部１２２…記憶部、１２３…表示部、１２４…操作部、１２６…二次元コード券処理部、１２８…ＩＣカード処理部、１３０…センタシステム、１４０…改札機、１４１…主制御部、１４２…二次元コード券処理部、１４３…ＩＣカード処理部、１４４…ドア制御部、１４５…ドア、１４６…表示部、１４７…本体、１５０…二次元コード券、１５１…券面情報、１５２…二次元コード、１５５…券媒体、１７０…磁気券、１８０…ＩＣカード、２００…携帯端末、２０１…制御部、２０２…記憶部、２０３…表示部、２０４…操作部、２０６…二次元コード券処理部、２０８…ＩＣカード処理部、２５０…列車内読取装置、２５１…制御部、２５２…記憶部、２５６…二次元コード券処理部、２５８…ＩＣカード処理部。
【図１】
0005813435.tif 000002
【図２】
0005813435.tif 000003
【図３】
0005813435.tif 000004
【図４】
0005813435.tif 000005
【図５】
0005813435.tif 000006
【図６】
0005813435.tif 000007
【図７】
0005813435.tif 000008
【図８】
0005813435.tif 000009
【図９】
0005813435.tif 000010
【図１０】
0005813435.tif 000011
【図１１】
0005813435.tif 000012
【図１２】
0005813435.tif 000013
【図１３】
0005813435.tif 000014
【図１４】
0005813435.tif 000015